(57)【要約】【課題】 携帯電話ケースの携帯電話固定装置を提供すること。【解決手段】  本発明は、携帯電話の左右の前面及び側面の支持台の間に薄くて変形され難い高弾性材質の接続部材を接続して、大きさ及び厚さが異なる携帯電話を一元化された接続部材により支持部材に同時に密着・固定できるようにして、支持部材の薄肉化を図って、携帯電話ケースの薄型化を可能にし、部品点数及び組立工数を減らして、製造コストを大幅に節減し、携帯電話の下側部を支持する携帯電話底面支持台が左右に移動できるようにして、携帯電話バッテリ充電用のジャック孔の使用に制限を受けない携帯電話固定装置を提供する。【選択図】  図１
2016221284.tif 000002
【特許請求の範囲】
【請求項１】
支持基板の前面に接続部材嵌入溝及び上下のガイド溝が横方向に形成され、
前記上下のガイド溝に携帯電話側面支持台が左右の両側の端部に配設された携帯電話側面支持部材のガイドが嵌入され、
前記左右の携帯電話側面支持台にガイド溝が形成されて、前面に携帯電話前面支持台が配設された携帯電話前面支持部材のガイドが嵌入され、
前記左右の携帯電話前面支持台の間に薄い弾性材質の接続部材が接続されて、前記支持基板の接続部材嵌入溝の内部に載置された状態で、左右の携帯電話前面支持台のガイドが左右の携帯電話側面支持台のガイド溝に嵌入され、
前記支持基板の前面に前面カバーが取り付けられたことを特徴とする携帯電話ケースの携帯電話固定装置。
【請求項２】
前記支持基板の下側部にガイド溝がさらに形成されて、携帯電話底面支持台が下端部に配設された携帯電話底面支持部材のガイドが嵌入され、
前記ガイド溝にガイドが配設されて、ガイドに形成されたガイド溝に沿って横方向に移動可能なようにしたことを特徴とする請求項１に記載の携帯電話ケースの携帯電話固定装置。
【請求項３】
前記支持基板の上下のガイド溝及び携帯電話側面支持部材のガイドに支持爪が外側の端部に配設されたばね嵌入凹口がさらに形成されて、ばねに形成された係止爪が前記支持爪に係止された状態で弾性力を維持できるようにしたことを特徴とする請求項１に記載の携帯電話ケースの携帯電話固定装置。
【請求項４】
前記ばね嵌入凹口の中心を右側に偏らせて形成するか、あるいは、左側部にばねの数を増やして、左右の携帯電話側面支持台に加えられる弾発力が左側方向にさらに強く働くようにして、左右の携帯電話側面支持台に取り付けられた携帯電話の外面が携帯電話ケースの右側面と常に一致するようにしたことを特徴とする請求項３に記載の携帯電話ケースの携帯電話固定装置。
【発明の詳細な説明】
【技術分野】
【０００１】
本発明は、携帯電話ケースの携帯電話固定装置に係り、特に、製品に応じて大きさと、厚さ及び形状などがやや異なる多種多様な携帯電話を広範にいずれも収容して固定する手段が配設された携帯電話ケースの携帯電話固定装置に関する。
【背景技術】
【０００２】
最近の情報通信技術の発達には目を見張るものがあり、これに伴い、携帯電話に関する先端技術が益々急速に開発されている。これとあいまって、独自的な機能が搭載された携帯電話を僅かに大きさと、厚さ及び形状を異ならせて高速にて上市している。
【０００３】
これにより、携帯電話が取り付けられる携帯電話ケースもまた、それぞれの携帯電話の機種の大きさと、厚さ及び形状に合うようにそれぞれ製作されて消費者に供給されている。
【０００４】
その結果、携帯電話ケースを供給する生産、販売者は、数多くの携帯電話の機種に応じてそれに合う携帯電話ケースをいずれも備えていることを余儀なくされるという負担があり、新たな携帯電話の機種が上市される度に既存の携帯電話ケースの金型や部品及び在庫商品などを全て廃棄し、新たな携帯電話の機種に合うように金型や部品または商品などを新たに製造または配設しなければならないという負担があり、これは、結果的に製造コストを高騰させて、生産、販売者はもとより、消費者の両方ともに負担として働く要因となっている。
【０００５】
また、携帯電話を使用する消費者もまた、携帯電話ケースの購入に際して、自分が保有している携帯電話の機種に合う携帯電話ケースを一々探して購入せねばならないという煩雑さがある。
【０００６】
さらに、たとえ自分の携帯電話の機種に合う携帯電話ケースを購入したとしても、製品の公差により携帯電話及び携帯電話ケースが正確に一致しない場合、携帯電話が携帯電話ケースに遊嵌されて、携帯電話が携帯電話ケースから取り外され易いという不都合があるか、あるいは、携帯電話が携帯電話ケースに緊嵌されて、バッテリの取り替えに際して、携帯電話を携帯電話ケースから取り外すのに手間がかかるという場合が多い。
【０００７】
このような問題を解消するために、本発明の出願人は、 「携帯電話保護ケースの携帯電話固定装置」を開発した（例えば、下記の特許文献１参照）。同発明の場合、上述した問題がほとんど解消されたとはいえ、異なる大きさ及び厚さを有する携帯電話を広範に収容するための携帯電話固定手段が、携帯電話の大きさは支持部材に組み付けられた多くのばねにより、且つ、携帯電話の厚さは支持部材に取り付けられた２つの板ばねによりそれぞれ固定されるという二元化された構造をとっているため、支持部材の厚肉化が進んで薄型化され難く、部品点数及び組立て工数が増えて製造コストが高騰してしまうという欠点があった。
【０００８】
また、上述した２つの板ばねが支持部材に取り付けられて携帯電話を外側に押し出すようになっているため、携帯電話と支持部材との間に隙間が形成されて、携帯電話ケースの厚肉化が進むという不都合があった。
さらに、携帯電話の下側部を支持する支持部材が支持基板の所定の個所に固定されていたため、携帯電話に配設されたバッテリ充電用のジャック孔の位置が重なり合う場合、携帯電話の取り付けに制限が伴われるという問題があった。
【先行技術文献】
【特許文献】
【０００９】
【特許文献１】大韓民国特許第１２７８２５９号公報
【発明の開示】
【発明が解決しようとする課題】
【００１０】
本発明は、このような従来の携帯電話ケースが抱えている諸問題に鑑みてなされたものであり、本発明の目的は、異なる大きさ及び厚さの種々の携帯電話を支持部材に広範に固定するための携帯電話大きさ固定手段及び携帯電話厚さ固定手段を一元化させることにより、携帯電話支持部材の薄肉化を図って、携帯電話ケースの薄型化を可能にし、部品点数及び組立て工数を減らして、製造コストを大幅に節減するところにある。
【００１１】
本発明の他の目的は、携帯電話の下側部を支持する支持部材により携帯電話バッテリ充電用のジャック孔の使用が制限されないようにするところにある。
【課題を解決するための手段】
【００１２】
このために、本発明は、携帯電話の左右の前面及び側面の支持台の間に薄くて変形され難い高弾性材質の接続部材を接続して、大きさ及び厚さが異なる携帯電話を一元化された接続部材により支持部材に同時に密着・固定できるようにして、支持部材の薄肉化を図って、携帯電話ケースの薄型化を可能にし、部品点数及び組立工数を減らして、製造コストを大幅に節減し、携帯電話の下側部を支持する携帯電話底面支持台が左右に移動できるようにして、携帯電話バッテリ充電用のジャック孔の使用に制限を受けない携帯電話固定装置を提供することを特徴とする。
【発明の効果】
【００１３】
本発明の携帯電話ケースの携帯電話固定装置は、大きさ及び厚さが異なる携帯電話を一元化された接続部材により支持部材に同時に密着・固定できるようにして、支持部材の薄肉化を図って、携帯電話ケースの薄型化を可能にし、部品点数及び組立工数を減らして、製造コストを大幅に節減し、携帯電話の下側部を支持する携帯電話底面支持台が左右に移動できるようにして、携帯電話バッテリ充電用のジャック孔の使用に制限を受けずに自由に使用可能な携帯電話固定装置を提供することができるという効果がある。
【図面の簡単な説明】
【００１４】
【図１】本発明の好適な実施形態の外形斜視図である。
【図２】本発明の構成状態を示す正面図と、側面図及び平面図である。
【図３】同分解斜視図である。
【図４】本発明に携帯電話が取り付けられた状態を示す正面図と、側面図及び平面図である。
【発明を実施するための形態】
【００１５】
以下、本発明の好適な実施形態を添付図面に基づいて具体的に説明する。
【００１６】
図１は、本発明の好適な実施形態の外形斜視図であり、図２は、本発明の構成状態を示す正面図と、側面図及び平面図であり、図３は、同分解斜視図であり、図４は、本発明に携帯電話が取り付けられた状態を示す正面図と、側面図及び平面図である。
【００１７】
本発明の携帯電話ケースの携帯電話固定装置は、財布型やダイアリ型またはカバー型の携帯電話ケースにいずれも適用可能であり、支持基板１の前面に接続部材嵌入溝３及び上下のガイド溝５、５’が横方向に形成されており、前記上下のガイド溝５、５’には、左右の両側の端部に携帯電話側面支持台７、７’が配設された携帯電話側面支持部材９、９’のガイド１１、１１’が嵌入される。
【００１８】
また、前記左右の携帯電話側面支持台７、７’にはガイド溝１３が左右側にそれぞれ形成されて、前面に携帯電話前面支持台１５、１５’が配設された携帯電話前面支持部材１７、１７’のガイド１８、１８’が嵌入される。
【００１９】
さらに、前記支持基板１の下側部にはガイド溝１３’’がさらに形成されて、下端部に携帯電話底面支持台１９が配設された携帯電話底面支持部材２０のガイド２１がさらに嵌入され、前記ガイド溝１３’’にはガイド２２が配設されて、ガイド２１に形成されたガイド溝２３に沿って携帯電話底面支持台１９が横方向に移動できるようになっている。
【００２０】
一方、前記左右の携帯電話前面支持台１５、１５’の間には薄い高弾性材質の接続部材２４が接続されて、前記支持基板１の接続部材嵌入溝３の内部に載置された状態で、左右の携帯電話前面支持台１５、１５’のガイド１８、１８’が左右の携帯電話側面支持台７、７’のガイド溝１３に嵌入されている。
【００２１】
また、前記支持基板１の前面には前面カバー２５が取り付けられて、その前面に携帯電話２７が着脱自在に取り付けられ、後側面に携帯電話ケースの内側面が貼着される。
【００２２】
さらに、本発明の他の実施形態によれば、前記支持基板１の上下のガイド溝５、５’及び携帯電話側面支持部材９、９’のガイド１１、１１’に支持爪２９が配設されたばね嵌入凹口３１がさらに形成されて、ばね３３に形成された係止爪３５が前記支持爪２９に係止された状態で弾性力を維持して、左右の携帯電話側面支持台７、７’が前記高弾性材質の接続部材２４とともに、より強い弾性力を維持するようにする。
【００２３】
さらにまた、前記ばね嵌入凹口３１の中心を右側に偏らせて形成するか、あるいは、左側部にばね３３の数を増やして、携帯電話側面支持台７、７’に加えられる弾発力が左側方向にさらに強く働くようにして、左右の携帯電話側面支持台７、７’に取り付けられた携帯電話の外面を携帯電話ケースの右側面と常に一致させることができる。
【００２４】
このような構成を有する本発明の携帯電話ケースの携帯電話固定装置は、携帯電話の取り付けに際して、まず、携帯電話保護ケース５８の上側覆体を開き、携帯電話２７を携帯電話底面支持台１９の上に載せた状態で、携帯電話側面支持部材９、９’の左右の携帯電話側面支持台７、７’の間に押し込むと、支持基板１の上下のガイド溝５、５’に沿って携帯電話側面支持部材９、９’のガイド１１、１１’が水平に摺動しながら携帯電話２７が取り付けられる。
【００２５】
このとき、携帯電話２７は、大きさが異なる場合であっても、携帯電話側面支持部材９、９’の左右の携帯電話側面支持台７、７’の間に取り付けられた薄い弾性材質の接続部材２４により弾性を受けて左右の携帯電話側面支持台７、７’の間に緊密に密着されて固定される。
【００２６】
また、これと同時に、前記左右の携帯電話側面支持台７、７’のガイド溝１３に沿って携帯電話前面支持部材１７、１７’のガイド１８、１８’が前後方向に水平に摺動しながら、携帯電話前面支持台１５、１５’が接続部材２４の弾性力により携帯電話２７を前後方向に緊密に密着して固定して、たとえ携帯電話２７の厚さがやや異なるとしても、携帯電話前面支持台１５、１５’の内部に携帯電話２７を広範に収容することができる。
【００２７】
さらに、前記携帯電話側面支持部材９、９’にばね３３が取り付けられた場合、左右の携帯電話側面支持台７、７’が前記弾性材質の接続部材２４とともに、ばね３３によりさらに強い弾性力で携帯電話２７を緊密に密着して固定することができる。
【００２８】
さらにまた、前記ばね嵌入凹口３１の中心を右側に偏らせて形成するか、あるいは、左側部にばね３３の数を増やして、携帯電話側面支持台７、７’に加えられる弾発力が左側方向にさらに強く働くようにして、左右の携帯電話側面支持台７、７’に取り付けられた携帯電話の外面を携帯電話ケースの右側面と常に一致させることができる。
【００２９】
一方、携帯電話のバッテリなどを取り替えるために、携帯電話ケースから携帯電話を取り外したい場合には、前記携帯電話の取り付け時とは逆の順序にて左側の携帯電話前面支持台１５を左側にやや押すと、接続部材２４及びばね３３により弾着された左側携帯電話前面支持台１５及び携帯電話側面支持台７が上下のガイド溝５、５’に沿って外側に移動して拡開されながら携帯電話２７を携帯電話側面及び前面支持部材９、９’、１７、１７’から手軽に取り外すことができる。
【００３０】
このようにして携帯電話２７を取り外した後、携帯電話の側面及び前面支持部材９、９’、１７、１７’は、接続部材２４及びばね３３の復元力により再び内側及び後側に移動して圧縮された状態を維持する。
【００３１】
このため、このような本発明の携帯電話ケースの携帯電話固定装置によれば、携帯電話の左右の前面及び側面支持台１５、１５’、７、７’の間に薄くて変形され難い高弾性材質の接続部材２４を接続して、大きさ及び厚さが異なる携帯電話２７を一元化された接続部材２４により支持部材に同時に密着して固定することにより、支持部材の薄肉化を図って、携帯電話ケースの薄型化を可能にし、部品点数及び組立て工数を減らして、製造コストを大幅に節減し、携帯電話の下側部を支持する携帯電話底面支持台１９が左右に移動できるようにして、携帯電話バッテリ充電用のジャック孔を制限を受けずに自由に使用することのできる携帯電話固定装置を提供することができるというメリットがある。
【００３２】
以上、本発明を特定の実施形態に基づいて説明したが、この他にも、本発明は、本発明の技術的な思想内において種々の変形例があり得る。例えば、前記実施形態において例示された接続部材２４と、ばね３３及び携帯電話の側面と前面及び底面の支持部材９、９’、１７、１７’、２０などの形状及び結合構造などは、本発明の技術的な思想内において適宜変更可能であり、前記実施形態に本発明の技術的な範囲が限定されないということはいうまでもない。
【符号の説明】
【００３３】
１：支持基板
３：接続部材嵌入溝
５、５’、１３、１３’’、２３：ガイド溝
７、７’：携帯電話側面支持台
９、９’：携帯電話側面支持部材
１１、１１’、１８、１８’、２１、２２：ガイド
１５、１５’：携帯電話前面支持台
１７、１７’：携帯電話前面支持部材
１９：携帯電話底面支持台
２０：携帯電話底面支持部材
２４：接続部材
２５：前面カバー
２７：携帯電話
２９：支持爪
３１：ばね嵌入凹口
３３：ばね
３５：係止爪
【図１】
2016221284.tif 000003
【図２】
2016221284.tif 000004
【図３】
2016221284.tif 000005
【図４】
2016221284.tif 000006